(57)【要約】【課題】動態的に読み取り・書き込みメディアデバイスの動作を保護し、外力の介入（振動、落下等）が読み取り・書き込みメディアデバイスのデータ損失や破損を引き起こさない、読み取り・書き込みメディアデバイスの保護構造及びその方法の提供。【解決手段】検出ユニット、第一演算ユニット、読み取り・書き込み媒体ユニット、スイッチユニット、電量制御ユニット、第二演算ユニット、中央処理ユニットと、を含み、読み取り・書き込みメディアデバイスが動作中のとき、検出ユニットが外力の介入を検知し、それが一定の数値を超えると、本構造により読み取り・書き込みメディアデバイスの電源を強制的に切断し、このデバイスを操作不能状態にし、応力を最大に増加し、耐震性と耐衝撃性を向上する。【選択図】    図１
2006019007.tif 000002
【特許請求の範囲】
【請求項１】
読み取り・書き込みメディアデバイスが外力による衝撃を受けたとき、該デバイスが受けるダメージを小さくするための保護構造であって、該構造が、
外力の検出に用い、該外力の数値を計算し、該外力が該構造に予め定義した臨界点より大きいとき衝撃信号を発信し、該外力が取り除かれると回復信号を発信する検出ユニットと、
後述の中央処理ユニットに該構造の使用状態の記録と使用状態の回復を通知するために用い、該衝撃信号を受信すると中断信号を発信し、該回復信号を受信すると回復信号を発信する第一演算ユニットと、
該構造においてデータの保存と読み取り・書き込みに用いる読み取り・書き込み媒体ユニットと、
該構造の電源制御に用い、該回復信号を受信すると該読み取り・書き込み媒体ユニットの電源をオンにして再度給電を開始するスイッチユニットと、
該読み取り・書き込み媒体ユニットの動作時に電量が飽和状態に達し、該読み取り・書き込み媒体ユニットの動作中断時に放電状態になる、充放電機能を備えた電量制御ユニットと、
該電量制御ユニットの状況判別に用い、該中断信号を受信し電量が飽和状態にあるとき中断飽和信号を発信し、該回復信号を受信し電量が飽和状態にあるとき回復飽和信号を発信する第二演算ユニットと、
該構造内の信号処理と該構造の使用状態の記録及び使用状態の回復に用い、該中断信号を受信すると使用状態を記録すると共に給電の中断処理の準備をし、該中断飽和信号を受信すると該スイッチユニットに強制的に給電中断処理を行わせ、該回復飽和信号を受信すると該構造の使用状態を回復する中央処理ユニットと、を含む読み取り・書き込みメディアデバイスの保護構造。
【請求項２】
前記読み取り・書き込み媒体ユニットが読み書きヘッド部品と保存機能を備えたデバイスである、請求項１に記載の読み取り・書き込みメディアデバイスの保護構造。
【請求項３】
前記読み取り・書き込みメディアデバイスが携帯型ハードディスク、ノートブックコンピュータ、携帯情報端末（ＰＤＡ）、携帯型ＣＤプレイヤー、光ディスクドライブ及びＣＤ−Ｒ／ＲＷドライブのうちの１つである、請求項１に記載の読み取り・書き込みメディアデバイスの保護構造。
【請求項４】
読み取り・書き込みメディアデバイスが外力による衝撃を受けたとき、該デバイスが受けるダメージを小さくするための保護方法であって、
検出ユニットを介して検出された外力が臨界点を超えているか判断する；
中央処理ユニットにより読み取り・書き込み媒体ユニットの状態を記録・保存し、中断コマンドを発する；
電量制御ユニットにより電量が飽和点に到達しているかを判断する；
該中央処理ユニットにより該読み取り・書き込み媒体ユニットに供給される電源を強制的に切断する；
該検出ユニットにより該外力がすでに取り除かれたかを判断する；
該中央処理ユニットが該読み取り・書き込み媒体ユニットへの給電を回復する；
該電量制御ユニットにより電量が該飽和点に到達したかを判断する；
該中央処理ユニットを介し前の該読み取り・書き込み媒体ユニットの状態を回復する；
以上の手順を含む、読み取り・書き込みメディアデバイスの保護方法。
【請求項５】
前記臨界点が該読み取り・書き込みメディアデバイスを構成する材質によって定義される、請求項４に記載の読み取り・書き込みメディアデバイスの保護方法。
【請求項６】
前記検出ユニットを介して検出された外力が臨界点を超えているか判断する手順がさらに、
検出ユニットを介して衝撃信号を伝送する；
該第一演算ユニットにより該衝撃信号を演算後、該スイッチユニットに伝送する；
該スイッチユニットが該衝撃信号を受信した後、該中央処理ユニットに通知する；
以上の手順を含む、請求項４に記載の読み取り・書き込みメディアデバイスの保護方法。
【請求項７】
前記検出ユニットにより該外力がすでに取り除かれたかを判断する手順がさらに、
該検出ユニットにより該衝撃信号を中断する；
該第二演算ユニットにより回復信号を伝送する；
該スイッチユニットが該回復信号を受信した後、該中央処理ユニットに通知する；
以上の手順を含む、請求項４に記載の読み取り・書き込みメディアデバイスの保護方法。
【請求項８】
前記読み取り・書き込みメディアデバイスが携帯型ハードディスク、ノートブックコンピュータ、携帯情報端末（ＰＤＡ）、光ディスクドライブ及びＣＤ−Ｒ／ＲＷドライブのうちの１つである、請求項４に記載の読み取り・書き込みメディアデバイスの保護方法。
【請求項９】
携帯型ハードディスクが外力による衝撃を受けたとき、該携帯型ハードディスクが受けるダメージを小さくするための携帯型ハードディスクの保護構造であって、構造が、
外力の検出に用い、該外力の数値を計算し、該外力が該ハードディスクに予め定義した臨界点より大きいとき衝撃信号を発信し、該外力が取り除かれると回復信号を発信する検出ユニットと、
後述の中央処理ユニットに該ハードディスクの使用状態の記録と使用状態の回復を通知するために用い、該衝撃信号を受信すると中断信号を発信し、該回復信号を受信すると回復信号を発信する第一演算ユニットと、
該構造においてデータの保存と読み取りに用いるハードディスクと、
該ハードディスクの電源制御に用い、該回復信号を受信すると該ハードディスクの電源をオンにして再度給電を開始するスイッチユニットと、
該ハードディスクの動作時に電量が飽和状態に達し、該ハードディスクの動作中断時に放電状態になる、充放電機能を備えた電量制御ユニットと、
該電量制御ユニットの状況判別に用い、該中断信号を受信し電量が飽和状態にあるとき中断飽和信号を発信し、該回復信号を受信し電量が飽和状態にあるとき回復飽和信号を発信する第二演算ユニットと、
該構造内の信号処理と該ハードディスクの使用状態の記録及び使用状態の回復に用い、該中断信号を受信すると使用状態を記録すると共に給電の中断処理の準備をし、該中断飽和信号を受信すると該スイッチユニットに強制的に給電中断処理を行わせ、該回復飽和信号を受信すると該ハードディスクの使用状態を回復する中央処理ユニットと、を含む携帯型ハードディスクの保護構造。
【請求項１０】
携帯型ハードディスクが外力による衝撃を受けたとき、該携帯型ハードディスクが受けるダメージを小さくするための携帯型ハードディスクの保護方法であって、該方法が、
検出ユニットを介して検出された外力が臨界点を超えているか判断する；
中央処理ユニットによりハードディスクの状態を記録・保存し、且つ、中断コマンドを発信する；
電量制御ユニットにより電量が飽和点に到達しているかを判断する；
該中央処理ユニットにより該ハードディスクに供給される電源を強制的に切断する；
該検出ユニットにより該外力がすでに取り除かれたかを判断する；
該中央処理ユニットにより該ハードディスクへの給電を回復する；
該電量制御ユニットにより電量が該飽和点に到達したかを判断する；
該中央処理ユニットにより前の該ハードディスクの状態を回復する；
以上の手順を含む、携帯型ハードディスクの保護方法。
【請求項１１】
前記臨界点が、該携帯型ハードディスク外部を構成する材質により定義される、請求項１０に記載の携帯型ハードディスクの保護方法。
【請求項１２】
前記検出ユニットを介して検出された外力が臨界点を超えているか判断する手順がさらに、
検出ユニットを介して衝撃信号を伝送する；
該第一演算ユニットにより該衝撃信号を演算後、該スイッチユニットに伝送する；
該スイッチユニットが該衝撃信号を受信した後、該中央処理ユニットに通知する；
以上の手順を含む、請求項１０に記載の携帯型ハードディスクの保護方法。
【請求項１３】
前記検出ユニットにより該外力がすでに取り除かれたかを判断する手順がさらに、
該検出ユニットにより該衝撃信号を中断する；
該第二演算ユニットにより回復信号を伝送する；
該スイッチユニットが該回復信号を受信した後、該中央処理ユニットに通知する；
以上の手順を含む、請求項１０に記載の携帯型ハードディスクの保護方法。
【請求項１４】
光ディスク処理装置が外力による衝撃を受けたとき、該光ディスク処理装置が受けるダメージを小さくするための光ディスク処理装置の保護構造であって、該構造が、
外力の検出に用い、該外力の数値を計算し、該外力が該ハードディスクに予め定義した臨界点より大きいとき衝撃信号を発信し、該外力が取り除かれると回復信号を発信する検出ユニットと、
後述の中央処理ユニットに該光ディスク処理装置の使用状態の記録と使用状態の回復を通知するために用い、該衝撃信号を受信すると中断信号を発信し、該回復信号を受信すると回復信号を発信する第一演算ユニットと、
該構造においてデータの読み取り・書き込みに用いる光ディスク処理ユニットと、
該光ディスク処理装置の電源制御に用い、該回復信号を受信すると該光ディスク処理装置の電源をオンにして再度給電を開始するスイッチユニットと、
該光ディスク処理装置の動作時に電量が飽和状態に達し、該光ディスク処理装置の動作中断時に放電状態になる、充放電機能を備えた電量制御ユニットと、
該電量制御ユニットの状況判別に用い、該中断信号を受信し電量が飽和状態にあるとき中断飽和信号を発信し、該回復信号を受信し電量が飽和状態にあるとき回復飽和信号を発信する第二演算ユニットと、
該構造内の信号処理と該光ディスク処理装置の使用状態の記録及び使用状態の回復に用い、該中断信号を受信すると使用状態を記録すると共に給電の中断処理の準備をし、該中断飽和信号を受信すると該スイッチユニットに強制的に給電中断処理を行わせ、該回復飽和信号を受信すると該光ディスク処理装置の使用状態を回復する中央処理ユニットと、を含む光ディスク処理装置の保護構造。
【請求項１５】
前記光ディスク処理装置が、光ディスクドライブ、ＣＤ−Ｒ／ＲＷドライブ及び携帯型ＣＤプレイヤーのうちの１つである、請求項１４に記載の光ディスク処理装置の保護構造。
【請求項１６】
光ディスク処理装置が外力による衝撃を受けたとき、該光ディスク処理装置が受けるダメージを小さくするための光ディスク処理装置の保護方法であって、該方法が、
検出ユニットを介して検出された外力が臨界点を超えているか判断する；
中央処理ユニットにより光ディスク処理ユニットの状態を記録・保存し、且つ、中断コマンドを発信する；
電量制御ユニットにより電量が飽和点に到達しているかを判断する；
該中央処理ユニットにより該光ディスク処理ユニットに供給される電源を強制的に切断する；
該検出ユニットにより該外力がすでに取り除かれたかを判断する；
該中央処理ユニットにより該光ディスク処理ユニットへの給電を回復する；
該電量制御ユニットにより電量が該飽和点に到達したかを判断する；
該中央処理ユニットにより前の該光ディスク処理ユニットの状態を回復する；
以上の手順を含む、光ディスク処理装置の保護方法。
【請求項１７】
前記臨界点が該光ディスク処理装置外部を構成する材質により定義される、請求項１６に記載の光ディスク処理装置の保護方法。
【請求項１８】
前記検出ユニットを介して検出された外力が臨界点を超えているか判断する手順がさらに、
検出ユニットを介して衝撃信号を伝送する；
該第一演算ユニットにより該衝撃信号を演算した後、該スイッチユニットに伝送する；
該スイッチユニットが該衝撃信号を受信した後、該中央処理ユニットに通知する；
以上の手順を含む、請求項１６に記載の光ディスク処理装置の保護方法。
【請求項１９】
前記検出ユニットにより該外力がすでに取り除かれたかを判断する手順がさらに、
該検出ユニットにより該衝撃信号を中断する；
該第二演算ユニットにより回復信号を伝送する；
該スイッチユニットが該回復信号を受信した後、該中央処理ユニットに通知する；
以上の手順を含む、請求項１６に記載の光ディスク処理装置の保護方法。
【請求項２０】
前記光ディスク処理装置が光ディスクドライブ、ＣＤ−Ｒ／ＲＷドライブ及び携帯型ＣＤプレイヤーのうちの１つである、請求項１６に記載の光ディスク処理装置の保護方法。
【発明の詳細な説明】
【技術分野】
【０００１】
本発明は読み取り・書き込みメディアデバイスの保護構造及びその方法に関し、詳細には、携帯型ハードディスク、ノートブックコンピュータ、携帯情報端末（ＰＤＡ）、光ディスクドライブ、ＣＤ−Ｒ／ＲＷドライブ、携帯型ＣＤプレイヤー等に応用する保存と読み取り・書き込み機能を備えた読み取り・書き込みメディアデバイスの保護構造及びその方法に関する。
【背景技術】
【０００２】
データ処理装置の技術の向上に伴い、今日のコンピュータハードウェアシステムはすでに従来のデスクトップコンピュータに捉われず、ノートブックコンピュータやタブレットＰＣ、ＰＤＡ、携帯電話、ＭＰ３プレイヤー、携帯型ＣＤプレイヤー、携帯型情報処理装置等多くの新興的コンピュータ関連製品が普及し、携帯型ハードディスクもまたノートブックコンピュータでの応用に限らず、例えば自動車産業における先進的自動車ナビゲーションシステムや影像音楽システムも同様に携帯型ハードディスクを必要とし、このため、データ処理の情報媒体における応用がより加速されている。
【０００３】
この情報が溢れる時代において、データアクセスの容量、速度、データ読み書きの品質等に対するニーズは日増しに高まっているが、一般的に従来から運用されている高容量のデータアクセス装置は、例えばハードディスク、光ディスクドライブ（ＣＤ−ＲＯＭ）等においては、両者とも磁性材料をプラスチックまたは金属基板上に塗布し、磁場のロジック構造を利用してデータ保存を行い、データにアクセスするときは、主軸モータの高速回転により、機械式に読み書きヘッド（ｒｅａｄ／ｗｒｉｔｅ  ｈｅａｄ）でデータにアクセスする必要があり、読み書きヘッドが５，４００〜１０，０００回転しながらディスク上で非常に細かな間隔で移動するとき、少しでも外力による振動を受けると、データアクセスが中断される可能性があるだけでなく、ディスクと読み書きヘッドが相互に摩擦するため、読み書きヘッドがディスクにぶつかり、ディスクまたは読み書きヘッドに破損を引き起こすことさえある。
【０００４】
このため、このような問題の解決手段として、構造式減衰ゴム（Ｄａｍｐｉｎｇ  Ｒｕｂｂｅｒ）を利用して共振を減少する改良が提案されているが、この方法は信頼性に劣り、ハードディスクと光ディスクドライブは先天的に操作において共振作用を持っているため、減衰ゴム（Ｄａｍｐｉｎｇ  Ｒｕｂｂｅｒ）の改良方法では最大の耐応力許容レベルをさほど向上することはできない。このほか、外力を受けたハードディスクや光ディスクドライブに直接動作を停止させるという強制中断方式が提案されているが、この方法はハードディスクや光ディスクドライブに対する給電を停止させることができないため、ハードディスクや光ディスクドライブが再度動作しその内部に含まれるデータが失われる可能性が常にある。また、外力が排除されたとき、使用者はハードディスクや光ディスクドライブのデータを再度操作できるよう改めて設定する必要があり、使用者にとって非常に不便である。最も重要なのは、以上の２つの方式においてハードディスクや光ディスクドライブは常に運転状態にあり、その耐衝撃性及び耐震性は本発明の非運転状態における性能に比べ大きな落差がある（実験のデータによれば、運転状態から非運転状態にすると、耐衝撃性は１５０Ｇから１０００Ｇ、耐震性は０．７Ｇから３Ｇになる）。
【０００５】
現在の技術では従来の高容量データアクセス装置の振動を受ける環境下における機械式読み書きヘッドを用いたデータアクセスの不安定性を解決することができず、この状況をいかに改善するかが、解決が待たれる技術的課題となっている。
【発明の開示】
【発明が解決しようとする課題】
【０００６】
上述の問題に鑑みて、本発明の目的は、動態的に読み取り・書き込みメディアデバイスの動作を保護し、外力の介入（振動、落下等）が読み取り・書き込みメディアデバイスのデータ損失や破損を引き起こさない、読み取り・書き込みメディアデバイスの保護構造及びその方法を提供することにある。
【課題を解決するための手段】
【０００７】
本発明が提供する保護構造は、携帯型ハードディスク、ノートブックコンピュータ、携帯情報端末（ＰＤＡ）、光ディスクドライブ及びＣＤ−ＲＷドライブ等多くの読み取り・書き込みメディアデバイスに対して保護を行うことができ、読み取り・書き込みメディアデバイスが動作中のとき、検出ユニットが外力の介入を検知し、それが一定の数値を超えると、本構造により読み取り・書き込みメディアデバイスの電源を強制的に切断し、このデバイスを操作不能状態にし、応力を最大に増加し、耐震性と耐衝撃性を向上する。実験のデータによれば、耐衝撃性は１５０Ｇから１０００Ｇになり、耐震性は０．７Ｇから３Ｇになる。
【０００８】
本発明の検出ユニットは、読み取り・書き込みメディアデバイスの信頼性を向上することができ、このほか、本発明の電量制御ユニットは読み取り・書き込みメディアデバイスが電源の供給を失っても電力を供給し読み書きヘッドを停止時の位置に戻すことができ、また、中央処理ユニットは外力による干渉を受ける前の使用状態を記録し、外力が取り除かれるとその他別途設定の必要なく、再度元の状態を回復することができ、使用者の操作上より便利である。
【０００９】
本発明の方法は、少なくとも次の手順を含む。検出ユニットにより検知した外力が臨界点を超えているかを判断し、次に中央処理ユニットにより読み取り・書き込み媒体の状態を記録・保存し、中断コマンドを発し、さらに電量制御ユニットにより電量が飽和点に達しているかを判断し、飽和点に達している場合中央処理ユニットにより読み取り・書き込み媒体に供給される電源を強制切断し、給電切断後、検出ユニットにより外力がすでに取り除かれたかを判断し、取り除かれている場合中央処理ユニットが読み取り・書き込み媒体への給電を回復し、さらに電量制御ユニットにより再度電量が飽和点に到達しているかを判断し、電量制御ユニットが飽和点に達していない場合中央処理ユニットの強制電力中断手順を継続し、飽和点に達している場合、最後に中央処理ユニットにより前の読み取り・書き込み媒体の状態を回復する。
【発明の効果】
【００１０】
本発明の読み取り・書き込みメディアデバイスの保護構造及びその方法は、読み取り・書き込みメディアデバイスが衝撃や振動を受けたとき、強制的に給電を切断する方法と設計でデバイスを保護し、傷害を最低にすることができる。
【発明を実施するための最良の形態】
【００１１】
本発明の詳細な内容及び技術について、以下図面に基づき説明する。
【００１２】
本発明の読み取り・書き込みメディアデバイスの保護構造及びその方法は、読み取り・書き込みメディアデバイスが衝撃や振動を受けたとき、強制的に給電を切断する方法と設計でデバイスを保護し、傷害を最低にすることを主な目的としている。
【００１３】
本発明の方法を説明する前に、まず本発明の基本構成を説明する。図１に本発明読み取り・書き込みメディアデバイスの保護構造のダイアグラムを示す。
【００１４】
本発明の読み取り・書き込みメディアデバイス保護構造１００は、次のユニットを含んで構成される。
【００１５】
まず、検出ユニット１０は、外力の検知に用い、外力の数値を計算し、外力が構造１００に予め設定した臨界点より大きい場合、衝撃信号を発信し、外力が取り除かれると回復信号を発し、異なる状況をそれぞれ処理し、対応するユニットへ信号を発信する。
【００１６】
第一演算ユニット２０は、中央処理ユニット４０に対し読み取り・書き込みメディアデバイス保護構造１００の使用状態の記録の通知及び中央処理ユニット４０に対し読み取り・書き込みメディアデバイス保護構造１００の使用状態の回復の通知を行うために用い、衝撃信号を受信すると中断信号を発し、回復信号を受信すると回復信号を発して異なる状況をそれぞれ処理し、対応するユニットへ信号を発信する。
【００１７】
読み取り・書き込み媒体ユニット５０は、読み取り・書き込みメディアデバイス保護構造１００においてデータの保存と読み取り・書き込みに用い、読み書きヘッド部品と保存機能を備えている。
スイッチユニット３０は、読み取り・書き込みメディアデバイス保護構造１００の電源の制御に用い、電源のオンまたはオフの動作を行う。回復信号を受信すると、読み取り・書き込み媒体ユニット５０の電源をオンにして給電を開始する。
【００１８】
電量制御ユニット７０は、読み取り・書き込み媒体ユニット５０の動作時に電量が飽和状態になり、該読み取り・書き込み媒体ユニットの動作中断時には放電状態となり、中央処理ユニット４０の使用状態回復の根拠として用い、充放電機能を備えた部品であることを特徴とし、充放電電池とすることができる。
【００１９】
第二演算ユニット６０は、電量制御ユニット７０の状況の判別に用い、中断信号を受信して電量が飽和状態のときは中断飽和信号を発信し、中央処理ユニット４０に電量制御ユニット７０がすでに飽和状態であることを通知し、回復信号を受信して電量が飽和状態のときは、回復飽和信号を発信する。
【００２０】
中央処理ユニット４０は、読み取り・書き込みメディアデバイス保護構造１００内の信号処理と、読み取り・書き込みメディアデバイス保護構造１００の使用状態の記録及び回復に用い、中断信号を受信すると使用状態の記録を行い、給電中断処理の準備をし、中断飽和信号を受信すると、スイッチユニット３０に強制的に給電中断処理を行わせ、回復飽和信号を受信すると、読み取り・書き込みメディアデバイス保護構造１００の使用状態を回復する。
【００２１】
上述の各ユニット間は、図に示す信号により通信を行う。
【００２２】
上述の読み取り・書き込みメディアデバイスは、携帯型ハードディスクやノートブックコンピュータ、携帯情報端末（ＰＤＡ）、携帯型ＣＤプレイヤー、光ディスクドライブ及びＣＤ−ＲＷドライブ等の読み書きヘッド部品と保存機能を備えたデバイスとすることができる。
【００２３】
上述のシステムを用いれば、読み取り・書き込みメディアデバイスが衝撃や振動を受けたときに保護することができ、次にその保護の流れについてさらに詳細に説明する。図２−１〜図２−４に本発明の読み取り・書き込みメディアデバイス保護構造のフロー図を示す。
【００２４】
まず、図２−１に示すように、読み取り・書き込みメディアデバイス保護構造１００の回復は、検出ユニット１０により検知された外力が臨界点を超えているか判断し（手順２００）、この臨界点は読み取り・書き込みメディアデバイスの構成材に基づいて定義するものとし、臨界点を超えていない場合、検出ユニット１０は継続して検出を行い、臨界点を超えている場合、手順２００の後、図２−３に詳細に示す手順Ａに入り、手順Ａに入ると、この検出ユニット１０が衝撃信号を伝送し（手順２０１）、第一演算ユニット２０がこの衝撃信号を演算した後、スイッチユニット３０へ伝送し（手順２０２）、このスイッチユニット３０が衝撃信号を受信した後、中央処理ユニット４０（手順２０３）へ通知する。このとき、中央処理ユニット４０が読み取り・書き込み媒体ユニット５０の状態を記録・保存すると共に中断コマンドを発信し（手順２１０）、次に電量制御ユニット７０により電量が飽和点に達しているかを判断し（手順２２０）、飽和点に達していない場合は中断コマンドにより読み取り・書き込み媒体ユニット５０の動作を中断させ（手順２４０）、且つ、読み取り・書き込み媒体ユニット５０に通知し読み書きヘッドを停止位置に戻し、本フローが終了する。この強制中断は従来技術にもある部分であるため、本フローで特に討論する範囲ではない。飽和点に達している場合、中央処理ユニット４０により読み取り・書き込み媒体ユニット５０に供給される電源を強制的に切断し（手順２３０）、電源が切断されるため読み取り・書き込み媒体ユニット５０は自動的に停止状態になって操作不能モードとなり、手順Ｂに入る。図２−２に示すように、手順Ｂに入ると、検出ユニット１０により外力がすでに取り除かれたかを判断し（手順２５０）、給電中断を継続しつつ検出ユニット１０が検知を継続し、外力がすでに取り除かれている場合、手順２５０の後、図２−４に詳細に示す手順Ｃに入り、手順Ｃに入ると、検出ユニット１０により衝撃信号を中断し（手順２５１）、さらに第二演算ユニット６０により回復信号を伝送し（手順２５２）、最後にスイッチユニット３０が回復信号を受信した後、中央処理ユニット４０に通知する（手順２５３）。このとき、中央処理ユニット４０は読み取り・書き込み媒体ユニット５０に対する給電を回復し（手順２６０）、続いて電量制御ユニット７０により電量が飽和点に達しているかを判断し（手順２８０）、飽和点に達していない場合は中央処理ユニット４０の強制電力中断手順を継続し（手順２７０）、すでに飽和点に達している場合は、最後に中央処理ユニット４０により前の読み取り・書き込み媒体ユニット５０の状態を回復し（手順２９０）、使用者が継続して操作と使用を行うことを可能にし、本フローが完了する。
【実施例１】
【００２５】
図３−１及び図３−２に本発明の実施例１の携帯型ハードディスクの回路図を示す。ここでは携帯型ハードディスクを例として効果を得ることができる回路について以下のように説明する。
【００２６】
図から分かるように、検出ユニット１０が検知するＸ軸、Ｙ軸、Ｚ軸の３つの方向の合力が本発明で言うところの外力であり、予め設定した臨界点を超えると、可変負荷部品１１と負荷部品１２が調整した後の負載値が第一演算ユニット２０に通知され、衝撃信号が第一スイッチユニット３１に伝送され、さらに信号が中央処理ユニット４０に伝送される。このとき、中央処理ユニット４０はハードディスク５１の使用状態を保存し、電量制御ユニット７０内の電量が飽和しているかを判断し、飽和に達している場合、中央処理ユニット４０が可変負荷部品１３と負荷部品１４が調整した後の負載値を第二スイッチユニット３２に通知し、直接給電を中断させ、検出ユニット１０は外力がまだ存在するか、またはすでに臨界点より低くなっているかを継続して検出し、臨界点より低い場合は回復信号を発して第一演算ユニット２０に通知し、さらに回復信号を第一スイッチユニット３１に発信し、直接ハードディスク５１の給電を回復すると共に、第二演算ユニット６０により電量制御ユニット７０の電量がすでに飽和点に達しているかを判断し、飽和点に達している場合、第二演算ユニット６０が回復飽和信号を発して中央処理ユニットに通知し、ハードディスク５１の使用状態を回復させる。
【００２７】
この図は最も基本的な携帯型ハードディスクの回路図であり、当然この他多くの方式があるが、本発明の要旨は衝撃と振動による損失を回避し保護することにあるため、ここでは簡単な説明のみとする。
【００２８】
次に、図４−１、図４−２、図４−３及び図４−４に本発明の実施例１の携帯型ハードディスクの保護方法のフロー図を示す。
【００２９】
図４−１に示すように、携帯型ハードディスクの保護構造はまず検出ユニット１０により検出された外力が臨界点を超えているかの判断を行い（手順３００）、この臨界点は携帯型ハードディスクの外部を構成する材質により定義するものとし、臨界点を超えていない場合検出ユニット１０は継続して検出を行い、臨界点を超えている場合は、手順３００の後、図４−３に詳細に示す手順Ａに入り、手順Ａに入ると、検出ユニット１０により衝撃信号を伝送し（手順３０１）、第一演算ユニット２０によりその衝撃信号を演算した後スイッチユニット３０に伝送し（手順３０２）、スイッチユニット３０がその衝撃信号を受信した後中央処理ユニット４０に通知する（手順３０３）。このとき、中央処理ユニット４０によりハードディスク５１の状態を記録・保存し、且つ中断コマンドを発信し（手順３１０）、続けて電量制御ユニット７０により電量が飽和点に達しているかを判断し（手順３２０）、飽和点に達していない場合は中断コマンドを介しハードディスク５１の動作を中断し（手順３４０）、且つハードディスク５１に通知し読み書きヘッドを停止位置に戻して本フローが終了する。このため、この部分は強制中断であり、従来技術の部分であるため、本フローで特に討論する範囲ではない。飽和点に達している場合は、中央処理ユニット４０によりハードディスク５１の電源を強制的に切断し（手順３３０）、電源が切断されるためハードディスク５１が自動停止状態に入り、且つ、操作不能モードになり、手順Ｂに入る。さらに、図４−２に示すように、手順Ｂの後、検出ユニット１０により外力が取り除かれたかの判断を行い（手順３５０）、電力供給切断を継続しつつ検出ユニット１０が検出を継続し、外力がすでに取り除かれている場合、手順３５０の後、図４−４に詳細に示す手順Ｃに入り、手順Ｃに入ると、検出ユニット１０により衝撃信号を中断し（手順３５１）、さらに第二演算ユニット６０により回復信号を伝送し（手順３５２）、最後にスイッチユニット３０がその回復信号を受信した後、中央処理ユニット４０に通知する（手順３５３）。このとき、中央処理ユニット４０がハードディスク５１の給電を回復し（手順３６０）、続いて電量制御ユニット７０により電量が飽和点に達しているかを判断し（手順３８０）、飽和点に達していない場合、中央処理ユニット４０の強制電力中断手順を継続し（手順３７０）、すでに飽和点に達している場合、最後に中央処理ユニット４０により前のハードディスク５１の状態を回復し（手順３９０）、本フローが終了する。
【実施例２】
【００３０】
図５−１及び図５−２に本発明の実施例２の光ディスク処理装置の回路図を示す。ここでは光ディスク処理装置を例として効果を得ることができる回路について以下のように説明するが、光ディスク処理装置を携帯型ハードディスクの代替デバイスとして用いるだけで実施例１の回路図と大体同じであるため、ここでは説明を省略する。
【００３１】
図６−１、図６−２、図６−３及び図６−４に本発明の実施例２の光ディスク処理装置の保護方法のフロー図を示す。
【００３２】
図６−１に示すように、光ディスク処理装置の保護構造は、まず検出ユニット１０により検出された外力が臨界点を超えているかを判断するが（手順４００）、この臨界点は光ディスク処理装置の外部を構成する材質により定義するものとし、臨界点を超えていない場合は検出ユニット１０が検出を継続し、臨界点を超えている場合は、手順４００の後、図６−３に詳細に示す手順Ａに入り、手順Ａに入ると、検出ユニット１０により衝撃信号を伝送し（手順４０１）、さらに第一演算ユニット２０によりその衝撃信号を演算した後、スイッチユニット３０に伝送し（手順４０２）、スイッチユニット３０がこの衝撃信号を受信した後、中央処理ユニット４０に通知する（手順４０３）。このとき、中央処理ユニット４０により光ディスク処理ユニット５２の状態を記録・保存し、且つ、中断コマンドを発信し（手順４１０）、続いて電量制御ユニット７０により電量が飽和点に達しているか判断し（手順４２０）、飽和点に達していない場合は、中断コマンドにより光ディスク処理ユニット５２の動作を中断し（手順４４０）、且つ、光ディスク処理ユニット５２に通知し読み書きヘッドを停止位置に戻させ、本フローが終了する。この部分は強制中断であり、従来技術の部分であるため、本フローで特に討論する範囲ではない。すでに飽和点に達している場合は、中央処理ユニット４０により光ディスク処理ユニット５２に供給する電源を強制的に切断し（手順４３０）、電源が切断されるため光ディスク処理ユニット５２が自動的に停止状態に入って操作不能モードになり、さらに図６−２に示す手順Ｂに入り、手順Ｂに入ると、検出ユニット１０により外力がすでに取り除かれたかを判断し（手順４５０）、給電中断を継続しつつ検出ユニット１０が検出を継続し、外力がすでに取り除かれている場合、手順４５０の後、図６−４に詳細に示す手順Ｃに入り、手順Ｃに入ると、検出ユニット１０により衝撃信号を中断し（手順４５１）、さらに第二演算ユニット６０が回復信号を伝送し（手順４５２）、最後にスイッチユニット３０がこの回復信号を受信した後、中央処理ユニット４０に通知する（手順４５３）。このとき中央処理ユニット４０は光ディスク処理ユニット５２への給電を回復し（手順４６０）、続いて電量制御ユニット７０により電量が飽和点に達しているか判断し（手順４８０）、飽和点に達していない場合は、中央処理ユニット４０の強制電力中断手順を継続し（手順４７０）、すでに飽和点に達している場合は、最後に中央処理ユニット４０により前の光ディスク処理ユニット５２の状態を回復し（手順４９０）、本フローが終了する。
【００３３】
上述の２つの実施例から分かるように、例として挙げた代替デバイスはすべて読み書きヘッド部品と保存能力を備えたデバイスであり、これらのデバイスはすべて衝撃と振動により大きなダメージを受けるものであるため、本発明はこの点に鑑みて、特に大幅に改良と革新を施した創作を提供し、今日の問題を解決するものであり、本発明は新規性と進歩性、産業的利用価値の特許の必須条件を兼ね備えているため、ここに特許を出願するものである。
【００３４】
本発明は前述のように最良の実施例を掲示しているが、上述の説明は本発明を制限するものではなく、この領域の技術に詳しい人物による本発明の要旨を逸脱しない範囲におけるあらゆる変更や修飾も、本発明に含まれるものとし、本発明の保護範囲は特許請求の範囲により限定される。
【図面の簡単な説明】
【００３５】
【図１】本発明の読み取り・書き込みメディアデバイス保護構造の構成を示すダイアグラム
【図２−１】本発明の読み取り・書き込みメディアデバイス保護構造のフロー図１
【図２−２】本発明の読み取り・書き込みメディアデバイス保護構造のフロー図２
【図２−３】本発明の読み取り・書き込みメディアデバイス保護構造のフロー図３
【図２−４】本発明の読み取り・書き込みメディアデバイス保護構造のフロー図４
【図３−１】本発明の実施例１の携帯型ハードディスクの回路図１
【図３−２】本発明の実施例１の携帯型ハードディスクの回路図２
【図４−１】本発明の実施例１の携帯型ハードディスクの保護方法のフロー図１
【図４−２】本発明の実施例１の携帯型ハードディスクの保護方法のフロー図２
【図４−３】本発明の実施例１の携帯型ハードディスクの保護方法のフロー図３
【図４−４】本発明の実施例１の携帯型ハードディスクの保護方法のフロー図４
【図５−１】本発明の実施例２の光ディスク処理装置の回路図１
【図５−２】本発明の実施例２の光ディスク処理装置の回路図２
【図６−１】本発明の実施例２の光ディスク処理装置の保護方法のフロー図１
【図６−２】本発明の実施例２の光ディスク処理装置の保護方法のフロー図２
【図６−３】本発明の実施例２の光ディスク処理装置の保護方法のフロー図３
【図６−４】本発明の実施例２の光ディスク処理装置の保護方法のフロー図４
【符号の説明】
【００３６】
１０                            検出ユニット
１１、１３                      可変負荷部品
１２、１４                      負荷部品
２０                            第一演算ユニット
３０                            スイッチユニット
３１                            第一スイッチユニット
３２                            第二スイッチユニット
４０                            中央処理ユニット
５０                            読み取り・書き込み媒体ユニット
５１                            ハードディスク
５２                            光ディスク処理ユニット
６０                            第二演算ユニット
７０                            電量制御ユニット
１００                          読み取り・書き込みメディアデバイス保護構造
【図１】
2006019007.tif 000003
【図２−１】
2006019007.tif 000004
【図２−２】
2006019007.tif 000005
【図２−３】
2006019007.tif 000006
【図２−４】
2006019007.tif 000007
【図３−１】
2006019007.tif 000008
【図３−２】
2006019007.tif 000009
【図４−１】
2006019007.tif 000010
【図４−２】
2006019007.tif 000011
【図４−３】
2006019007.tif 000012
【図４−４】
2006019007.tif 000013
【図５−１】
2006019007.tif 000014
【図５−２】
2006019007.tif 000015
【図６−１】
2006019007.tif 000016
【図６−２】
2006019007.tif 000017
【図６−３】
2006019007.tif 000018
【図６−４】
2006019007.tif 000019